【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
キーベースの先進のナビゲーションシステムであって、
ポータブルデバイスのスクリーン上に表示されるコンテンツの１つまたは複数のセグメントにマップするキーベースの入力コンポーネントであって、任意の数の数字キーおよび非数字キーを備えたキーベースの入力コンポーネントと、
前記入力コンポーネントから受け取る入力に部分的に従って前記コンテンツをナビゲートするのを容易にするナビゲーションコンポーネントと、
現在のビューを新たなビューまたは前のビューに円滑に移行し、前記入力コンポーネントおよび前記ナビゲーションコンポーネントから受け取るデータに部分的に基づいて前記ポータブルデバイスのスクリーン内で前記コンテンツおよび／またはそのビューを調整するマッピングコンポーネントと
を備えたことを特徴とするシステム。
【請求項２】
前記デバイスのスクリーン上に表示される前記コンテンツの１つまたは複数のセグメントへの分割を最適化するセグメント化コンポーネントをさらに備えたことを特徴とする請求項１に記載のシステム。
【請求項３】
前記セグメント化コンポーネントは、内容、作成者の好み、ユーザの好み、コンテンツの複雑さ、および前記ディスプレイスクリーンに関するコンテンツの密度の少なくとも１つに基づいて、前記コンテンツの分割を最適化することを特徴とする請求項２に記載のシステム。
【請求項４】
前記セグメント化コンポーネントは、前記デバイスのスクリーン上に表示される前記コンテンツを最大９つのセグメントに分割し、各セグメントは前記キーベースの入力コンポーネント上の数字キーに対応することを特徴とする請求項２に記載のシステム。
【請求項５】
前記セグメント化コンポーネントは、前記現在のビューがどのように子ビューへセグメント化されているかを示す視覚キューをコンテンツのそれぞれの各セグメント上にスーパーインポーズすることを特徴とする請求項２に記載のシステム。
【請求項６】
前記視覚キューは、前記キーベースの入力コンポーネント上の１つまたは複数のキーに対応する数字キューを備えたことを特徴とする請求項５に記載のシステム。
【請求項７】
前記視覚キューは、下にあるコンテンツのビューが遮られるのを軽減するために半透明であることを特徴とする請求項５に記載のシステム。
【請求項８】
前記１つまたは複数のセグメントは、大きさの等しい重なるセグメント、大きさの等しくない重なるセグメント、大きさの等しい重ならないセグメント、および／または大きさの等しくない重ならないセグメントのいずれかであることを特徴とする請求項２に記載のシステム。
【請求項９】
前記キーベースの入力コンポーネントは、前記ディスプレイスクリーンにオーバーレイしたキーベースのタッチスクリーンセンサをさらに備えたことを特徴とする請求項１に記載のシステム。
【請求項１０】
前記キーベースの入力コンポーネントは、キーパッドの数字キーを備えたことを特徴とする請求項１に記載のシステム。
【請求項１１】
第１の数字キーをタップして、コンテンツの対応するセグメントに少なくとも第１のズームレベルでズームインすることを特徴とする請求項１０に記載のシステム。
【請求項１２】
第２の数字キーを押し一定時間保持して、コンテンツの異なるセグメントを一時的に表示し、前記第２の数字キーを放すと、コンテンツの前のセグメントへすぐに戻って、コンテンツの前記前のセグメントに関するコンテキストおよび視野の少なくとも１つを提供することを特徴とする請求項１１に記載のシステム。
【請求項１３】
前記第１のズームレベルにおいて第２の数字キーをタップして、同じズームレベルで適当な兄弟セグメントにシフトすることを特徴とする請求項１１に記載のシステム。
【請求項１４】
任意の数の非数字キーは、タップすると、現在のズームインした子ビューが複数のセグメントまたは子ビューに分割され、次いで前記現在のズームインした子ビューは、これらの新たに利用可能となった子ビューに対する親ビューとして再定義されるように専用のトグル子ボタンを備えたことを特徴とする請求項１に記載のシステム。
【請求項１５】
前記ナビゲーションコンポーネントは、現在のビュー中の前記コンテンツの視野またはコンテキストを得るために、前記現在のビューを新たなビューに一時的に移行して前記現在のビューに戻ることによって、近隣または付近のコンテンツをグランスするのを容易にすることを特徴とする請求項１に記載のシステム。
【請求項１６】
前記コンテンツは、前記ナビゲーションコンポーネントがズームインすること、ズームアウトすること、任意のズームレベルでビューをシフトすること、現在のズームレベルを維持しながら現在のビューを元の興味の中心へシフトすること、および現在のビューを前のビューへシフトすることの少なくとも１つによって、様々なレベルのコンテンツを優雅に移動するように複数レベルの細部を備えたことを特徴とする請求項１に記載のシステム。
【請求項１７】
前記入力コンポーネントは、１つまたは複数のソフトキーを備え、各ソフトキーの機能は、下にあるコンテンツおよびこのようなコンテンツに関連付けられたアプリケーションのいずれか１つに基づいて変化することを特徴とする請求項１に記載のシステム。
【請求項１８】
子ビューが表示されるときに、前記ディスプレイスクリーンの隅にアウトライン形式でスーパーインポーズする相対的に非常に小さい図式的な概観地図を生成するトラッキングコンポーネントをさらに備えたことを特徴とする請求項１に記載のシステム。
【請求項１９】
前記トラッキングコンポーネントは、前記概観地図内により小さな長方形をさらに生成して、前記子ビューの親ビューのコンテキスト内で前記子ビューの相対的なサイズおよび位置を示すことを特徴とする請求項１８に記載のシステム。
【請求項２０】
微妙ではあるが認識可能な濃淡を前記親のビューの周辺に適用して、前記親のビューに対して前記子ビューに関するさらなる視野を提供することを特徴とする請求項１９に記載のシステム。
【請求項２１】
前記コンテンツは、トラフィック状況を示すために色分けされた道路およびハイウェイを備えたリアルタイムのトラフィックモニタリングアプリケーションを備えたことを特徴とする請求項１に記載のシステム。
【請求項２２】
前記コンテンツは、ユーザ定義されたルートをさらに備えたことを特徴とする請求項２１に記載のシステム。
【請求項２３】
前記コンテンツは、Ｗｅｂベースのアプリケーションを備え、これによって前記ディスプレイの１つまたは複数の定義された領域がより詳細なビューのためにセグメント化されないことを特徴とする請求項１に記載のシステム。
【請求項２４】
前記１つまたは複数の定義された領域は、広告ペインを備えたことを特徴とする請求項２３に記載のシステム。
【請求項２５】
小型のポータブルデバイス上のキーベースのナビゲーションを容易にする方法であって、
デバイスのスクリーン上に表示されるコンテンツを少なくとも２つのセグメントに分割することと、
少なくとも２つのキーを備えたキーベースの入力コンポーネントを前記少なくとも２つのセグメントにマップすることと、
デバイスのスクリーン上に表示される前記コンテンツの少なくとも１つのセグメントに関するユーザベースの入力を受け取ることと、
前記ユーザベースの入力に部分的に基づいて前記コンテンツの任意の１つのセグメントのビューを調整することと
を備えることを特徴とする方法。
【請求項２６】
前記少なくとも２つのセグメントは、第１のセグメントおよび第２のセグメントを備えることを特徴とする請求項２５に記載の方法。
【請求項２７】
前記少なくとも２つのセグメントは、個々に親ビューの子ビューであり、前記親ビューは、コンテンツの前記少なくとも２つのセグメントを備えることを特徴とする請求項２５に記載の方法。
【請求項２８】
前記子ビューが親ビューになるようにコンテンツの前記子ビューを少なくとも２つのセグメントに分割し、各セグメントは前記キーベースの入力コンポーネント上のいずれか１つのキーに対応することを特徴とする請求項２７に記載の方法。
【請求項２９】
前記コンテンツを少なくとも２つのセグメントに分割することは、前記デバイスのスクリーン上に表示される前記コンテンツを最大９つのセグメントに分割することを備え、各セグメントは前記キーベースの入力コンポーネント上の数字キーに対応することを特徴とする請求項２５に記載の方法。
【請求項３０】
前記コンテンツを少なくとも２つのセグメントに分割することは、内容、作成者の好み、ユーザの好み、コンテンツの複雑さ、および前記ディスプレイスクリーンに対するコンテンツの密度の少なくとも１つに少なくとも部分的に基づいて前記コンテンツの分割を最適化することを備えることを特徴とする請求項２５に記載の方法。
【請求項３１】
ビューすることを希望するそれぞれの各セグメントにマップされたキーを押すかまたはタップすることによって、前記コンテンツまたはその少なくとも１つのセグメントをナビゲートすることをさらに備えることを特徴とする請求項２５に記載の方法。
【請求項３２】
前記コンテンツの前記ビューを調整することは、
１つのセグメントへズームインすることと、
コンテンツの概観にズームアウトすることと、
第１のセグメントの第１のビューから第１のセグメントの第２のビューへシフトすることと、
第１のセグメントから第２のセグメントへシフトすることであって、前記シフトは現在のビューから新たなビューへのシフト、現在のビューから前のビューへのシフト、現在のビューから前記コンテンツの前記概観へのシフトを備えることと
のうち少なくとも１つを備えることを特徴とする請求項２５に記載の方法。
【請求項３３】
前記コンテンツの前記概観は、前記デバイスのスクリーン上に前記コンテンツのほぼすべてのセグメントを表示することを備えることを特徴とする請求項３２に記載の方法。
【請求項３４】
第１のセグメントから第２のセグメントへシフトすることは、前記第２のビューに対応するキーを押し一定時間保持してから放す一時的なものであることを特徴とする請求項３２に記載の方法。
【請求項３５】
前記第１のビューは、第１のズームレベルにおけるものであり、前記第２のビューは、第２のズームレベルにおけるものであることを特徴とする請求項３２に記載の方法。
【請求項３６】
前記第１のセグメントから前記第２のセグメントへ移行するときに第１のセグメントのズームレベルを維持することをさらに備えることを特徴とする請求項３２に記載の方法。
【請求項３７】
前記少なくとも２つのキーは、数字キーおよび非数字キーを備えることを特徴とする請求項２５に記載の方法。
【請求項３８】
前記数字キーは、第１の数字キーが第１のコンテンツのセグメントにマップされるようにコンテンツのセグメントにマップされることを特徴とする請求項３７に記載の方法。
【請求項３９】
前記非数字キーは、前記コンテンツまたは前記コンテンツをサポートするアプリケーションの１つに従って変化する機能にマップされることを特徴とする請求項３７に記載の方法。
【請求項４０】
どのキーが前記コンテンツのどのセグメントに対応するかを識別するために、前記少なくとも２つのセグメントのそれぞれに半透明の視覚キューをスーパーインポーズすることをさらに備えることを特徴とする請求項２５に記載の方法。
【請求項４１】
オンラインユーザへの示唆を提供するのを容易にする３つ以上のコンピュータプロセス間で伝送されるように適合されたデータパケットであって、
デバイスのスクリーン上に表示されるコンテンツを少なくとも２つのセグメントに分割することと、少なくとも２つのキーを備えたキーベースの入力コンポーネントを前記少なくとも２つのセグメントにマップすることと、デバイスのスクリーン上に表示される前記コンテンツの少なくとも１つのセグメントに関するユーザベースの入力を受け取ることと、前記ユーザベースの入力に部分的に基づいて前記コンテンツの任意の１つのセグメントのビューを調整することとに関連付けられた情報を備えたことを特徴とするデータパケット。
【請求項４２】
請求項１に記載のコンポーネントを格納したことを特徴とするコンピュータ可読媒体。
【請求項４３】
小型のポータブルデバイス上のキーベースのナビゲーションを容易にするシステムであって、
デバイスのスクリーン上に表示されるコンテンツを少なくとも２つのセグメントに分割するための手段と、
少なくとも２つのキーを備えたキーベースの入力コンポーネントを前記少なくとも２つのセグメントにマップするための手段と、
デバイスのスクリーン上に表示される前記コンテンツの少なくとも１つのセグメントに関するユーザベースの入力を受け取るための手段と、
前記ユーザベースの入力に部分的に基づいて前記コンテンツの任意の１つのセグメントのビューを調整するための手段と
を備えたことを特徴とするシステム。
【請求項４４】
前記少なくとも２つのセグメントは、個々に親ビューの子ビューであり、前記親ビューはコンテンツの前記少なくとも２つのセグメントを備えたことを特徴とする請求項４３に記載のシステム。
【請求項４５】
前記子ビューが親ビューになるようにコンテンツの前記子ビューを少なくとも２つのセグメントに分割するための手段であって、各セグメントは前記キーベースの入力コンポーネント上の任意の１つのキーに対応する手段をさらに備えたことを特徴とする請求項４４に記載のシステム。